(57)【要約】【課題】自動的にユーザの嗜好性に合った音質設定を行うことで、操作性を向上させることができるようにする。【解決手段】音質調整設定用メモリ１５に、音質調整の設定の組み合わせを示す音質設定情報を有する複数のテーブルと、個々のテーブルを識別するＩＤと、個々のテーブルの使用頻度を示す重み係数とが記録され、イコライザ制御処理部１６により、音質設定情報やＩＤの読み出しが行われ、個々のテーブルの使用頻度に応じて変更された重み係数の値が音質調整設定用メモリ１５に記録され、システムコントロールマイコン１７により、光ディスクＤがイジェクトされるとき、イコライザ制御処理部１６に対し、イジェクト直前の音質設定情報を有するテーブルを識別するＩＤの読み出しを行わせ、その読み出されたＩＤを光ディスクＤに記録させるように制御し、光ディスクＤを交換する度の音質調整を不要とする。【選択図】  図１
2006228343.tif 000002
【特許請求の範囲】
【請求項１】
記録媒体に対して情報の書き込み及び読み出しを行う情報書き込み／読み出し手段と、
前記記録媒体の情報の再生時の音質を調整する音質調整手段と、
前記音質調整手段による音質調整の設定の組み合わせを示す音質設定情報を有する複数のテーブルと、個々の前記テーブルを識別する識別情報と、前記個々のテーブルの使用頻度を示す重み係数とが記録されている不揮発性記録部と、
前記音質設定情報や識別情報の読み出しを行い、前記個々のテーブルの使用頻度に応じて前記重み係数を変更しその変更した値を前記不揮発性記録部に記録する音質情報制御手段と、
前記記録媒体がイジェクトされるとき、前記音質情報制御手段に対し、イジェクト直前の前記音質設定情報を有するテーブルを識別する識別情報の読み出しを行わせ、前記情報書き込み／読み出し手段に対し、その読み出された識別情報を前記記録媒体に記録させるように制御する制御手段とを備える
ことを特徴とする情報記録再生装置。
【請求項２】
前記制御手段は、前記記録媒体が装着されたとき、前記記録媒体に前記テーブルを識別する識別情報が記録されているか否かを判断し、前記識別情報が記録されている場合には、前記音質情報制御手段に対し、前記記録媒体に記録されている識別情報のテーブルの音質設定情報の読み出しを行わせ、前記音質調整手段に対し、その読み出しが行われた音質設定情報で再生時の音質を調整するように制御することを特徴とする請求項１に記載の情報記録再生装置。
【請求項３】
前記制御手段は、前記記録媒体が装着されたとき、前記記録媒体に前記テーブルを識別する識別情報が記録されているか否かを判断し、前記識別情報が記録されていない場合には、前記音質情報制御手段に対し、前記個々のテーブルの使用頻度に応じた重み係数の最も大きいテーブルの音質設定情報の読み出しを行わせ、前記音質調整手段に対し、その読み出しが行われた音質設定情報で再生時の音質を調整するように制御することを特徴とする請求項１又は２に記載の情報記録再生装置。
【請求項４】
記録媒体に対して情報の書き込み及び読み出しを行う情報書き込み／読み出し工程と、
前記記録媒体の情報の再生時の音質を調整する音質調整工程と、
前記音質の調整の設定の組み合わせを示す音質設定情報を有する複数のテーブルと、個々の前記テーブルを識別する識別情報と、前記個々のテーブルの使用頻度を示す重み係数とが保持される保持工程と、
前記音質設定情報や識別情報の読み出しを行い、前記個々のテーブルの使用頻度に応じて前記重み係数を変更しその変更した値を記録する音質情報制御工程と、
前記記録媒体がイジェクトされるとき、イジェクト直前の前記音質設定情報を有するテーブルを識別する識別情報の読み出しを行わせ、その読み出された識別情報を前記記録媒体に記録させるように制御する制御工程とを有する
ことを特徴とする情報記録再生方法。
【請求項５】
前記記録媒体が装着されたとき、前記記録媒体に前記テーブルを識別する識別情報が記録されているか否かを判断し、前記識別情報が記録されている場合には、前記記録媒体に記録されている識別情報のテーブルの音質設定情報の読み出しを行わせ、その読み出しが行われた音質設定情報で再生時の音質を調整するように制御する制御工程を有することを特徴とする請求項４に記載の情報記録再生方法。
【請求項６】
前記記録媒体が装着されたとき、前記記録媒体に前記テーブルを識別する識別情報が記録されているか否かを判断し、前記識別情報が記録されていない場合には、前記個々のテーブルの使用頻度に応じた重み係数の最も大きいテーブルの音質設定情報の読み出しを行わせ、その読み出しが行われた音質設定情報で再生時の音質を調整するように制御する制御工程を有することを特徴とする請求項４又は５に記載の情報記録再生方法。
【発明の詳細な説明】
【技術分野】
【０００１】
本発明は、光ディスク等の記録媒体に対しての情報の記録及び再生が可能な情報記録再生装置に係り、特に、イコライザ等による音質調整等の設定を自動的にユーザの嗜好性に合ったものとする情報記録再生装置及び情報記録再生方法に関する。
【背景技術】
【０００２】
情報の記録及び再生が可能な記録媒体として、追記型のＣＤ−Ｒ（Compact Disc Recordable）や書き換え可能型のＣＤ−ＲＷ（Compact Disc ReWritable）等の光ディスクがある。また、ミニディスク（Mini Dics：ＭＤ、登録商標）等の光ディスクもある。さらには、追記型のＤＶＤ−Ｒ（Digital Versatile Disk Recordable）や書き換え可能型のＤＶＤ−ＲＡＭ（Digital Versatile Disk Random Access Memory）等の光ディスクもある。
【０００３】
そして、それぞれの光ディスクに対して専用のプレーヤー等により、好みの音楽データ等を記録したり、再生したりすることができるようになっている。
【０００４】
ところで、これらの専用のプレーヤー等にあっては、ユーザの好みに応じた音質調整を行うことができるイコライザが搭載されている場合がある。イコライザは、通常、人間の可聴帯域である２０Ｈｚ〜２０ｋＨｚの間で、所定の帯域毎に音質を調整することができるものである。
【０００５】
イコライザは、大きく分けてグラフィックＥＱ（イコライザ）とパラメトリックＥＱ（イコライザ）の二つがある。前者は、いくつかの決まった周波数（たとえば低域、中域、高域）を上げ下げすることでトーンを調整することができ、後者は、ある範囲の間で、調整する周波数を設定することができる。
【０００６】
このようなイコライザによる調整は、たとえばＭＤプレーヤーの場合、液晶表示部にイコライザの調整画面を表示させ、その画面上で各周波数に対応するスライダーをキー操作により調節することで行われる。また、イコライザにより調整された値は、ＭＤプレーヤーのメモリに保持されることにより、その保持された値でイコライザによる調整が継続される。
【０００７】
ところが、ＭＤプレーヤーのメモリに保持されたイコライザにより調整された値は、光ディスクが交換されると、ディフォルトされてしまうため、好みの音質にしようとする場合には光ディスクが交換される度にイコライザによる調整の操作が必要となり、極めて煩雑である。
【０００８】
ちなみに、特許文献１では、入力部を操作して、光ディスクのイジェクトを指令したとき、ＣＰＵにより、光ディスクをイジェクトする直前の動作モード、アクセス位置等を、resume情報として、ＲＡＭに記憶させるとともに、そのresume情報が光ディスクに記録されるようにした記録装置を提案している。
【特許文献１】特開２０００−００６１５号公報
【発明の開示】
【発明が解決しようとする課題】
【０００９】
上述したように、特許文献１では、resume情報がＲＡＭ及び光ディスクに記録されるので、光ディスクを装着したとき、イジェクトする直前の位置からアクセスできるばかりか、異なる再生装置に光ディスクを装着しても、イジェクト直前のアクセス位置に確実に、アクセスすることが可能となる。
【００１０】
ところが、このような記録装置でのresume情報は、光ディスクをイジェクトする直前の動作モードやアクセス位置を示すものであり、上述したように、好みの音質にしようとする場合には光ディスクが交換される度にイコライザによる調整の操作が必要となり、極めて煩雑である。
【００１１】
解決しようとする問題点は、resume情報が少なくとも光ディスクに記録されるようにすることで、光ディスクを装着したとき、イジェクトする直前の位置からアクセスできるばかりか、異なる再生装置に光ディスクを装着しても、イジェクト直前のアクセス位置に確実にアクセスすることが可能となるが、好みの音質にしようとする場合には光ディスクが交換される度にイコライザによる調整の操作が必要となり、極めて煩雑であるという点である。
【課題を解決するための手段】
【００１２】
本発明の情報記録再生装置は、記録媒体に対して情報の書き込み及び読み出しを行う情報書き込み／読み出し手段と、前記記録媒体の情報の再生時の音質を調整する音質調整手段と、前記音質調整手段による音質調整の設定の組み合わせを示す音質設定情報を有する複数のテーブルと、個々の前記テーブルを識別する識別情報と、前記個々のテーブルの使用頻度を示す重み係数とが記録されている不揮発性記録部と、前記音質設定情報や識別情報の読み出しを行い、前記個々のテーブルの使用頻度に応じて前記重み係数を変更しその変更した値を前記不揮発性記録部に記録する音質情報制御手段と、前記記録媒体がイジェクトされるとき、前記音質情報制御手段に対し、イジェクト直前の前記音質設定情報を有するテーブルを識別する識別情報の読み出しを行わせ、前記情報書き込み／読み出し手段に対し、その読み出された識別情報を前記記録媒体に記録させるように制御する制御手段とを備えることを特徴とする。
また、前記制御手段は、前記記録媒体が装着されたとき、前記記録媒体に前記テーブルを識別する識別情報が記録されているか否かを判断し、前記識別情報が記録されている場合には、前記音質情報制御手段に対し、前記記録媒体に記録されている識別情報のテーブルの音質設定情報の読み出しを行わせ、前記音質調整手段に対し、その読み出しが行われた音質設定情報で再生時の音質を調整するように制御するようにすることができる。
また、前記制御手段は、前記記録媒体が装着されたとき、前記記録媒体に前記テーブルを識別する識別情報が記録されているか否かを判断し、前記識別情報が記録されていない場合には、前記音質情報制御手段に対し、前記個々のテーブルの使用頻度に応じた重み係数の最も大きいテーブルの音質設定情報の読み出しを行わせ、前記音質調整手段に対し、その読み出しが行われた音質設定情報で再生時の音質を調整するように制御するようにすることができる。
本発明の情報記録再生方法は、記録媒体に対して情報の書き込み及び読み出しを行う情報書き込み／読み出し工程と、前記記録媒体の情報の再生時の音質を調整する音質調整工程と、前記音質の調整の設定の組み合わせを示す音質設定情報を有する複数のテーブルと、個々の前記テーブルを識別する識別情報と、前記個々のテーブルの使用頻度を示す重み係数とが保持される保持工程と、前記音質設定情報や識別情報の読み出しを行い、前記個々のテーブルの使用頻度に応じて前記重み係数を変更しその変更した値を記録する音質情報制御工程と、前記記録媒体がイジェクトされるとき、イジェクト直前の前記音質設定情報を有するテーブルを識別する識別情報の読み出しを行わせ、その読み出された識別情報を前記記録媒体に記録させるように制御する制御工程とを有することを特徴とする。
また、前記記録媒体が装着されたとき、前記記録媒体に前記テーブルを識別する識別情報が記録されているか否かを判断し、前記識別情報が記録されている場合には、前記記録媒体に記録されている識別情報のテーブルの音質設定情報の読み出しを行わせ、その読み出しが行われた音質設定情報で再生時の音質を調整するように制御する制御工程を有するようにすることができる。
また、前記記録媒体が装着されたとき、前記記録媒体に前記テーブルを識別する識別情報が記録されているか否かを判断し、前記識別情報が記録されていない場合には、前記個々のテーブルの使用頻度に応じた重み係数の最も大きいテーブルの音質設定情報の読み出しを行わせ、その読み出しが行われた音質設定情報で再生時の音質を調整するように制御する制御工程を有するようにすることができる。
本発明の情報記録再生装置及び情報記録再生方法では、情報書き込み／読み出し手段により、記録媒体に対して情報の書き込み及び読み出しが行われ、音質調整手段により、記録媒体の情報の再生時の音質が調整され、不揮発性記録部に、音質調整手段による音質調整の設定の組み合わせを示す音質設定情報を有する複数のテーブルと、個々のテーブルを識別する識別情報と、個々のテーブルの使用頻度を示す重み係数とが記録され、音質情報制御手段により、音質設定情報や識別情報の読み出しが行われ、個々のテーブルの使用頻度に応じて重み係数が変更されその変更された値が不揮発性記録部に記録され、制御手段により、記録媒体がイジェクトされるとき、音質情報制御手段に対し、イジェクト直前の音質設定情報を有するテーブルを識別する識別情報の読み出しを行わせ、情報書き込み／読み出し手段に対し、その読み出された識別情報を記録媒体に記録させるように制御される。
【発明の効果】
【００１３】
本発明の情報記録再生装置及び情報記録再生方法によれば、情報書き込み／読み出し手段により、記録媒体に対して情報の書き込み及び読み出しが行われ、音質調整手段により、記録媒体の情報の再生時の音質が調整され、不揮発性記録部に、音質調整手段による音質調整の設定の組み合わせを示す音質設定情報を有する複数のテーブルと、個々のテーブルを識別する識別情報と、個々のテーブルの使用頻度を示す重み係数とが記録され、音質情報制御手段により、音質設定情報や識別情報の読み出しが行われ、個々のテーブルの使用頻度に応じて重み係数が変更されその変更された値が不揮発性記録部に記録され、制御手段により、記録媒体がイジェクトされるとき、音質情報制御手段に対し、イジェクト直前の音質設定情報を有するテーブルを識別する識別情報の読み出しを行わせ、情報書き込み／読み出し手段に対し、その読み出された識別情報を記録媒体に記録させるように制御するようにしたので、光ディスクを交換する度の音質調整が不要となり、自動的にユーザの嗜好性に合った音質設定を行うことができ、操作性を向上させることができる。
【発明を実施するための最良の形態】
【００１４】
本実施形態では、情報書き込み／読み出し手段により、記録媒体に対して情報の書き込み及び読み出しが行われ、音質調整手段により、記録媒体の情報の再生時の音質が調整され、不揮発性記録部に、音質調整手段による音質調整の設定の組み合わせを示す音質設定情報を有する複数のテーブルと、個々のテーブルを識別する識別情報としてのＩＤと、個々のテーブルの使用頻度を示す重み係数とが記録され、音質情報制御手段により、音質設定情報やＩＤの読み出しが行われ、個々のテーブルの使用頻度に応じて重み係数が変更されその変更された値が不揮発性記録部に記録され、制御手段により、記録媒体がイジェクトされるとき、音質情報制御手段に対し、イジェクト直前の音質設定情報を有するテーブルを識別するＩＤの読み出しを行わせ、情報書き込み／読み出し手段に対し、その読み出されたＩＤを記録媒体に記録させるように制御するようにし、光ディスクを交換する度の音質調整を不要とすることで、自動的にユーザの嗜好性に合った音質設定を可能とし、操作性を向上させるようにした。
【００１５】
また、制御手段により、記録媒体が装着されたとき、記録媒体にテーブルを識別するＩＤが記録されているか否かを判断し、ＩＤが記録されている場合には、音質情報制御手段に対し、記録媒体に記録されているＩＤのテーブルの音質設定情報の読み出しを行わせ、音質調整手段に対し、その読み出しが行われた音質設定情報で再生時の音質を調整するように制御し、前回の再生時と同じ音質で音が聴けるようにした。
【００１６】
また、制御手段により、記録媒体が装着されたとき、記録媒体にテーブルを識別するＩＤが記録されているか否かを判断し、ＩＤが記録されていない場合には、音質情報制御手段に対し、個々のテーブルの使用頻度に応じた重み係数の最も大きいテーブルの音質設定情報の読み出しを行わせ、音質調整手段に対し、その読み出しが行われた音質設定情報で再生時の音質を調整するように制御し、頻繁に聴いている音質での音質設定を自動的に行わせるようにした。
【実施例】
【００１７】
以下、本発明の実施の形態について説明する。
図１は、本発明の情報記録再生装置をＭＤプレーヤーに適用した場合の一実施形態を示すブロック図、図２は、図１の音質調整設定用メモリの内容を説明するための図、図３及び図４は、図１の情報記録再生装置による情報記録再生方法を説明するためのフローチャートである。
【００１８】
図１に示すＭＤプレーヤーは、光ピックアップ１、アナログ信号処理回路２、デジタル信号処理回路３、メモリ４、音声圧縮伸張回路５、イコライザ回路６、コンバータ７、スピンドルモータ８、送りモータ９、メカニズム部１０、サーボ制御回路１１、表示部１２、入力部１３、音質自動調整部１４、システムコントロールマイコン１７を備えている。
【００１９】
情報書き込み／読み出し手段としての光ピックアップ１は、光ディスクＤ（ここではＭＤ：Mini Dics）に対して情報の読み出しや書き込みを行う。ここで、光ディスクＤには、符号化方式ＭＰＥＧの規定に準拠したたとえばＭＰ３ファイルのデータが記録されるものとする。
【００２０】
アナログ信号処理回路２は、光ピックアップ１による光ディスクＤからのＲＦ信号を処理する。デジタル信号処理回路３は、アナログ信号処理回路２によって処理された信号に対してデジタル信号処理を行う。
【００２１】
メモリ４は、たとえばデジタル信号処理回路３によるデジタル信号処理を行う際の作業エリアとされる。
【００２２】
音声圧縮伸張回路５は、光ディスクＤの情報が読み出されるとき、デジタル信号処理回路３によって処理された符号化方式ＭＰＥＧの規定に準拠しているデジタル信号の伸張を行い、光ディスクＤに情報が書き込まれるとき、符号化方式ＭＰＥＧの規定に準拠したデジタル信号の圧縮を行う。
【００２３】
音質調整手段としてのイコライザ回路６は、入力部１３からの音質調整指示、あるいは音質自動調整部１４の後述の音質調整設定用メモリ１５の音質設定情報（１）〜（ｎ）のいずれかに基づき、音声圧縮伸張回路５からの伸張されたデジタル信号の音質調整を行う。
【００２４】
コンバータ７は、イコライザ回路６によって音質調整されたデジタル信号をアナログ信号に変換する。コンバータ７によって変換されたアナログ信号は、たとえばヘッドホンＨによって再生される。
【００２５】
スピンドルモータ８は、光ディスクＤを所定の回転速度で回転させる。送りモータ９は、光ピックアップ１を光ディスクＤの半径方向に送る。メカニズム部１０は、スピンドルモータ８及び送りモータ９の駆動をコントロールする。
【００２６】
サーボ制御回路１１は、アナログ信号処理回路２及びデジタル信号処理回路３からの信号に基づき、メカニズム部１０における動作を制御する。表示部１２は、たとえば液晶パネルからなり、光ディスクＤの再生状況等を表示する。
【００２７】
入力部１３は、光ディスクＤの再生やイジェクト操作等に関わる複数のボタンを有している。音質自動調整部１４は、光ディスクＤの再生音の音質を自動的に調整するものであり、音質調整設定用メモリ１５とイコライザ制御処理部１６とを備えている。
【００２８】
不揮発性記録部としての音質調整設定用メモリ１５には、図２に示すように、たとえばイコライザによる複数の音質調整等の設定の組み合わせを示す音質設定情報（１）〜（ｎ）を有するテーブルと、個々のテーブルを識別する識別情報としてのＩＤと、個々のテーブルの使用頻度を示す値（たとえば重み係数）とが記録されている。
【００２９】
音質情報制御手段としてのイコライザ制御処理部１６は、システムコントロールマイコン１７からの指示に応じて、音質調整設定用メモリ１５のテーブルの設定の組み合わせを示す音質設定情報（１）〜（ｎ）やテーブルを識別するＩＤを読み出したり、個々のテーブルの使用頻度に応じて使用頻度を示す値（たとえば重み係数）を変更させたりする。
【００３０】
制御手段としてのシステムコントロールマイコン１７は、入力部１３からの指示に応じて、光ディスクＤに対する情報の読み出しや書き込みに関わる各部の動作を制御する。また、システムコントロールマイコン１７は、入力部１３からの光ディスクＤのイジェクトの指示があると、イジェクト直前のイコライザの設定の組み合わせを示す音質設定情報（１）〜（ｎ）を有するテーブルを識別するＩＤを光ディスクＤに記録させ、併せて音質調整設定用メモリ１５の対応するテーブルの使用頻度を示す値（たとえば重み係数）を変更させるように制御する。
【００３１】
また、システムコントロールマイコン１７は、光ディスクＤが装着されたとき、その光ディスクＤにテーブルを識別するＩＤが記録されている場合には、イコライザ回路６に対し、そのＩＤに対応するテーブルの音質設定情報（１）〜（ｎ）のいずれかで設定にするように制御する。
【００３２】
さらに、システムコントロールマイコン１７は、装着された光ディスクＤにテーブルを識別するＩＤが記録されていない場合、イコライザ回路６に対し、音質調整設定用メモリ１５のテーブルの使用頻度を示す値（たとえば重み係数）が最も大きいテーブルの設定の組み合わせを示す音質設定情報（１）〜（ｎ）のいずれかを用いて設定するように制御する。
【００３３】
次に、情報記録再生方法について説明する。なお、以下の説明においては、光ディスクＤのたとえば内周のトラック情報（曲数、フラグメンテーション）やディスク・トラックネーム情報（ディスク名、曲名）等が記録される領域にテーブルを識別するＩＤが記録されるものとする。また、トラック情報（曲数、フラグメンテーション）やディスク・トラックネーム情報（ディスク名、曲名）等が記録される領域以外には、音楽データが記録されているものとする。
【００３４】
まず、テーブルを識別するＩＤが記録されていない光ディスクＤが装着されていて、その光ディスクＤのイジェクトの指示があると（ステップＳ１）、システムコントロールマイコン１７により、イジェクト直前のイコライザの設定の組み合わせを示す音質設定情報（１）〜（ｎ）のいずれかを有するテーブルを識別するＩＤを光ディスクＤに記録させるように制御される。
【００３５】
この場合、ユーザによるイコライザによる音質調整が行われているか否かが判断され（ステップＳ２）、ユーザによるイコライザによる音質調整が行われていない場合には、システムコントロールマイコン１７からの指示により、イコライザ制御処理部１６が音質調整設定用メモリ１５から重み係数の値が最も大きいテーブルを識別するＩＤを読み出し（ステップＳ３）、システムコントロールマイコン１７に渡す。
【００３６】
そして、システムコントロールマイコン１７により、受け取ったＩＤが音声圧縮伸張回路５に渡されると、音声圧縮伸張回路５によりそのＩＤが符号化方式ＭＰＥＧの規定に準拠したデジタル信号に圧縮処理され、デジタル信号処理回路３からアナログ信号処理回路２に渡される。
【００３７】
これにより、光ピックアップ１により、上述した光ディスクＤの内周に該当するテーブルを識別するＩＤが記録される（ステップＳ４）。
【００３８】
このとき、イコライザ制御処理部１６により、音質調整設定用メモリ１５の読み出したテーブルを識別するＩＤの重み係数の値が変更され（ステップＳ５）、その音質調整設定用メモリ１５に変更された重み係数の値が記録される（ステップＳ６）。その後、光ディスクＤがイジェクトされる（ステップＳ７）。
【００３９】
一方、（ステップＳ２）において、ユーザによるイコライザによる音質調整が行われていると判断された場合には、システムコントロールマイコン１７によりイコライザ回路６の設定値が読み出されてイコライザ制御処理部１６に与えられる。
【００４０】
このとき、イコライザ制御処理部１６により、音質調整設定用メモリ１５からその設定値に該当する設定の組み合わせを示す音質設定情報（１）〜（ｎ）を有するテーブルが検索され（ステップＳ８）、該当するテーブルを識別するＩＤがシステムコントロールマイコン１７に渡される。
【００４１】
そして、上記同様に、システムコントロールマイコン１７により、受け取ったＩＤが音声圧縮伸張回路５に渡されると、音声圧縮伸張回路５によりそのＩＤが符号化方式ＭＰＥＧの規定に準拠したデジタル信号に圧縮処理され、デジタル信号処理回路３からアナログ信号処理回路２に渡される。
【００４２】
これにより、光ピックアップ１により、上記同様に、上述した光ディスクＤの内周に該当するテーブルを識別するＩＤが記録される（ステップＳ９）。
【００４３】
このとき、イコライザ制御処理部１６により、音質調整設定用メモリ１５の該当するテーブルを識別するＩＤの重み係数の値が変更され（ステップＳ１０）、上記同様に、その音質調整設定用メモリ１５に変更された重み係数の値が記録され（ステップＳ６）、その後、光ディスクＤがイジェクトされる（ステップＳ７）。
【００４４】
なお、上述した（ステップＳ７）でのイジェクトにあっては、（ステップＳ４）又は（ステップＳ９）での光ディスクＤの内周にテーブルを識別するＩＤが記録された後に実行されるようにしてもよい。
【００４５】
次に、光ディスクＤが装着された場合について説明する。
【００４６】
まず、図４に示すように、光ディスクＤが装着されると（ステップＳ１１）、システムコントロールマイコン１７により光ピックアップ１等が駆動され、光ディスクＤの内周からの情報の読み取りが行われる。
【００４７】
このとき、光ピックアップ１による光ディスクＤからのＲＦ信号がアナログ信号処理回路２によって処理され、さらにデジタル信号処理回路３により、デジタル信号処理された後、音声圧縮伸張回路５により、符号化方式ＭＰＥＧの規定に準拠しているデジタル信号の伸張が行われる。
【００４８】
そして、システムコントロールマイコン１７により、伸張されたデジタル信号から光ディスクＤにテーブルを識別するＩＤが記録されているか否かが判断される（ステップＳ１２）。
【００４９】
テーブルを識別するＩＤが記録されている場合は、システムコントロールマイコン１７からの指示により、イコライザ制御処理部１６により音質調整設定用メモリ１５のＩＤに該当するテーブルが選択され（ステップＳ１３）、そのテーブルの設定の組み合わせを示す音質設定情報（１）〜（ｎ）のいずれかが読み出されてシステムコントロールマイコン１７に渡される。
【００５０】
このとき、システムコントロールマイコン１７によってイコライザ回路６による音質調整が読み出されたテーブルの設定の組み合わせを示す音質設定情報（１）〜（ｎ）のいずれかに基づき設定されるように制御される（ステップＳ１４）。
【００５１】
また、このとき、光ピックアップ１により光ディスクＤから読み出された音楽データは、上記同様にして音声圧縮伸張回路５により、符号化方式ＭＰＥＧの規定に準拠しているデジタル信号の伸張が行われてイコライザ回路６に出力される。
【００５２】
ここで、イコライザ回路６により、システムコントロールマイコン１７からのテーブルの設定の組み合わせを示す音質設定情報（１）〜（ｎ）のいずれかに基づき、音声圧縮伸張回路５からの伸張されたデジタル信号の音質調整が自動的に行われる。
【００５３】
イコライザ回路６により音質調整が自動的に行われたデジタル信号は、コンバータ７により、アナログ信号に変換されて、たとえばヘッドホンＨにより再生される（ステップＳ１５）。これにより、ユーザは、イコライザの調整を行うことなく、好みの音質で再生された音楽を聴くことができる。
【００５４】
一方、（ステップＳ１２）において、テーブルを識別するＩＤが記録されていないと判断された場合は、システムコントロールマイコン１７からの指示により、イコライザ制御処理部１６によって音質調整設定用メモリ１５から重み係数の値の最も大きいテーブルが選択され（ステップＳ１６）、そのテーブルの設定の組み合わせを示す音質設定情報（１）〜（ｎ）のいずれかがシステムコントロールマイコン１７に渡される。
【００５５】
そして、システムコントロールマイコン１７によってイコライザ回路６による音質調整が読み出されたテーブルの設定の組み合わせを示す音質設定情報（１）〜（ｎ）のいずれかに基づき設定されるように制御されるとともに（ステップＳ１４）、上記同様に、イコライザ回路６により、システムコントロールマイコン１７からのテーブルの設定の組み合わせを示す音質設定情報（１）〜（ｎ）のいずれかに基づき、音声圧縮伸張回路５からの伸張されたデジタル信号の音質調整が自動的に行われ、たとえばヘッドホンＨにより再生される（ステップＳ１５）。
【００５６】
このように、本実施形態では、光ピックアップ１により、光ディスクＤに対して情報の書き込み及び読み出しが行われ、イコライザ回路６により、光ディスクＤの情報の再生時の音質が調整され、音質調整設定用メモリ１５に、イコライザ回路６による音質調整の設定の組み合わせを示す音質設定情報（１）〜（ｎ）を有する複数のテーブルと、個々のテーブルを識別するＩＤと、個々のテーブルの使用頻度を示す重み係数とが記録され、イコライザ制御処理部１６により、音質設定情報やＩＤの読み出しが行われ、個々のテーブルの使用頻度に応じて重み係数が変更されその変更された値が音質調整設定用メモリ１５に記録され、システムコントロールマイコン１７により、光ディスクＤがイジェクトされるとき、イコライザ制御処理部１６に対し、イジェクト直前の音質設定情報（１）〜（ｎ）を有するテーブルを識別するＩＤの読み出しを行わせ、光ピックアップ１に対し、その読み出されたＩＤを光ディスクＤに記録させるように制御されるようにしたので、光ディスクＤを交換する度の音質調整が不要となり、自動的にユーザの嗜好性に合った音質設定を行うことができ、操作性を向上させることができる。
【００５７】
また、本実施形態では、システムコントロールマイコン１７により、光ディスクＤが装着されたとき、光ディスクＤにテーブルを識別するＩＤが記録されているか否かを判断し、ＩＤが記録されている場合には、イコライザ制御処理部１６に対し、光ディスクＤに記録されているＩＤのテーブルの音質設定情報（１）〜（ｎ）のいずれかの読み出しを行わせ、イコライザ回路６に対し、その読み出しが行われた音質設定情報（１）〜（ｎ）のいずれかで再生時の音質を調整するように制御したので、前回の再生時と同じ音質で音を聴くことができる。
【００５８】
また、本実施形態では、光ディスクＤが装着されたとき、光ディスクＤにテーブルを識別するＩＤが記録されているか否かを判断し、ＩＤが記録されていない場合には、イコライザ制御処理部１６に対し、個々のテーブルの使用頻度に応じた重み係数の最も大きいテーブルの音質設定情報（１）〜（ｎ）のいずれかの読み出しを行わせ、イコライザ回路６に対し、その読み出しが行われた音質設定情報（１）〜（ｎ）のいずれかで再生時の音質を調整するように制御ししたので、頻繁に聴いている音質での音質設定を自動的に行わせることができる。
【００５９】
なお、本実施形態では、イコライザによる音質調整について説明したが、ボリュームによる音量調整を含むようにすることもできる。
【００６０】
また、本実施形態では、音質調整設定用メモリ１５に、イコライザ回路６による音質調整の設定の組み合わせを示す音質設定情報（１）〜（ｎ）を有する複数のテーブルを記録しているため、光ディスクＤの再生時に、そのいずれかのテーブルをＭＤプレーヤーのいずれかのボタンを操作してダイレクトに選択できるようにしてもよい。
【００６１】
この場合には、ＭＤプレーヤーの液晶表示部にイコライザの調整画面を表示させ、その画面上で各周波数に対応するスライダーを調節することで行うイコライザによる調整の操作を省くことができる。
【００６２】
また、各テーブルの音質設定情報（１）〜（ｎ）をロック、ポップス、ラップ等のようなジャンル毎に整理できるようにしてもよく、この場合には、テーブルのダイレクト選択をさらに容易に行うことができる。
【００６３】
また、各テーブルの音質設定情報（１）〜（ｎ）をＭＤプレーヤーを共用するユーザ毎に専用で使用できるように、フォルダ分けし、それぞれのフォルダにユーザ毎の識別番号等を付けて音質調整設定用メモリ１５に記録しておくようにしてもよい。
【００６４】
この場合には、１台のＭＤプレーヤーをたとえば家族で共用するとき、各々のユーザがフォルダを指定することで、好みの音質での再生を自動的に行わせることができる。
【００６５】
また、ＭＤプレーヤーでの光ディスクＤ（ここではＭＤ：Mini Dics）は、その記録フォーマットの関係上、テーブルを識別するＩＤの記録がディスク内周に限られるとともに、そのＩＤの記録領域に制約があるが、１個のＩＤのみを記録しておけばよいので、何ら問題はない。
【００６６】
ただし、この場合には、光ディスクＤ（ここではＭＤ：Mini Dics）に記録された全ての音楽データが１個のＩＤに対応する音質設定情報（１）〜（ｎ）のいずれかで音質調整されることになるが、個々の音楽データ毎にテーブルを識別するＩＤを記録させたい場合には、ＤＶＤ等のように、ＩＤの記録位置が限定されない記録フォーマットによる記録媒体を用いればよい。
【産業上の利用可能性】
【００６７】
ＭＤプレーヤーに限らず、ＣＤプレーヤー、ＤＶＤプレーヤー等の他の情報記録再生装置にも適用できる。
【図面の簡単な説明】
【００６８】
【図１】本発明の情報記録再生装置をＭＤプレーヤーに適用した場合の一実施形態を示すブロック図である。
【図２】図１の音質調整設定用メモリの内容を説明するための図である。
【図３】図１の情報記録再生装置による情報記録再生方法における光ディスクのイジェクト時について説明するためのフローチャートである。
【図４】図１の情報記録再生装置による情報記録再生方法における光ディスクの装着時について説明するためのフローチャートである。
【符号の説明】
【００６９】
１  光ピックアップ
２  アナログ信号処理回路
３  デジタル信号処理回路
４  メモリ
５  音声圧縮伸張回路
６  イコライザ回路
７  コンバータ
１０  メカニズム部
１１  サーボ制御回路
１２  表示部
１３  入力部
１４  音質自動調整部
１５  音質調整設定用メモリ
１６  イコライザ制御処理部
１７  システムコントロールマイコン
Ｄ  光ディスク
【図１】
2006228343.tif 000003
【図２】
2006228343.tif 000004
【図３】
2006228343.tif 000005
【図４】
2006228343.tif 000006